【手続補正書】
【提出日】平成20年2月12日(2008.2.12)
【手続補正１】
【補正対象書類名】明細書
【補正対象項目名】特許請求の範囲
【補正方法】変更
【補正の内容】
【特許請求の範囲】
【請求項１】  機械の動作状態に相関する計測データの圧縮方法であって、
機械の回転シャフトの複数の回転周期を監視するステップと、
以前の周期を画定する複数の回転それぞれの周期を決定するステップと、
これら決定された周期の関数として、回転シャフトの次の周期を予測するステップと、
機械の動作状態に相関する機械データを検出するステップと、
次の周期の関数であるサンプリング速度で、検知されたデータをサンプリングするステップと、
サンプリング・データをスペクトル・エレメントに変換するステップと、
スペクトル・エレメントを、ユーザが定義可能な保持基準と比較するステップと、
ユーザが定義可能な保持基準に合格したスペクトル・エレメントをメモリ手段に格納することにより、サンプリング・データを圧縮するステップであって、格納されたスペクトル・エレメントは機械の動作状態に相関している、ステップと
を含むことを特徴とする方法。
【請求項２】  機械の動作状態に相関する機械の信号を処理する信号処理方法であって、
（ａ）機械の回転シャフトの複数の回転周期を監視するステップと、
（ｂ）監視された周期から回転シャフトの最後の回転周期を決定して、決定された周期を画定するステップと、
（ｃ）決定された周期を整数個の小周期に分割して、該小周期の１つによりサンプリング周期を画定するステップと、
（ｄ）機械の動作状態に相関する信号を、回転シャフトの監視した最後の周期の次の回転周期の間に、検出するステップと、
（ｅ）サンプリング周期の関数であるサンプリング速度で、検出された信号をサンプリングするステップと、
（ｆ）検出されサンプリングされた信号を格納して、機械の動作状態に相関するデータを得るステップと
を含むことを特徴とする方法。
【請求項３】  請求項２記載の方法において、該方法はさらに、ステップ（ｂ）〜（ｆ）を、機械の回転シャフトの次の整数分の回転周期に関して、反復実行するステップを含むことを特徴とする方法。
【請求項４】  機械の動作状態に相関する機械の信号を処理する信号処理方法であって、
（ａ）機械の回転シャフトの複数の回転周期を監視するステップと、
（ｂ）監視された周期から、該周期中の最後の回転シャフトの回転周期を決定して、第１の周期とするステップと、
（ｃ）監視された周期から、該周期中の最後から２番目に前の回転シャフトの回転周期を決定して、第２の周期とするステップと、
（ｄ）最後の周期の後である回転シャフトの次の回転周期を、第１の周期及び第２の周期の関数として予測して、回転シャフトの回転の予測周期を得るステップと、
（ｅ）機械の動作状態に相関する信号を、予測された次の周期の間、検出するステップと、
（ｆ）予測周期の関数であるサンプリング速度で、検出された信号をサンプリングするステップと、
（ｇ）サンプリング信号を処理して、機械の動作状態に相関するデータを得るステップと
を含むことを特徴とする方法。
【請求項５】  請求項４記載の方法において、ステップ（ｄ）は、第１の周期と第２の周期の間の差に第１の周期を加えて、回転シャフトの回転の予測周期を得ることによって、最後の周期の後である回転シャフトの次の回転周期を予測するステップを含むことを特徴とする方法。
【請求項６】  請求項５記載の方法において、ステップ（ｆ）は、予測された次の回転周期を同期サンプリング速度で除算して得られる商であるサンプリング速度で、検出された信号をサンプリングするステップを含むことを特徴とする方法。
【請求項７】  請求項６記載の方法において、ステップ（ｆ）は、回転シャフトの回転速度の倍数である同期サンプリング速度を画定するステップを含むことを特徴とする方法。
【請求項８】  請求項４記載の方法において、該方法はさらに、ステップ（ｂ）〜（ｇ）を、機械の回転シャフトの次の整数分の回転周期に関して、反復実行するステップを含むことを特徴とする方法。
【請求項９】  機械の動作状態に相関する計測データの圧縮方法であって、
機械の回転シャフトの回転速度を、シャフトの回転毎に決定するステップと、
サンプリング周期を、決定されたシャフトの回転速度の関数として決定するステップと、
機械の動作状態に相関する機械データを検出するステップと、
決定したサンプリング周期の関数であるサンプリング速度で、検出されたデータをサンプリングするステップと、
サンプリング・データをスペクトル・エレメントに変換するステップと、
スペクトル・エレメントを、ユーザが定義可能な保持基準と比較するステップと、
ユーザが定義可能な保持基準に合格したスペクトル・エレメントをメモリ手段に格納することにより、サンプリング・データを圧縮するステップであって、格納したスペクトル・エレメントは機械の動作状態に相関している、ステップと
を含むことを特徴とする方法。
【請求項１０】  機械の動作状態に相関する計測データの圧縮方法であって、
機械の動作状態に相関する一組の機械データを感知するステップと、
機械データの組をサンプリングするステップと、
サンプリングされた機械データの組にウインドウ関数を適用するステップと、
ウインドウ関数で処理されたサンプリングされた機械データをスペクトル・エレメントに変換するステップと、
スペクトル・エレメントを、ユーザが定義可能な保持基準と比較するステップと、
ユーザが定義可能な保持基準に合格したスペクトル・エレメントをメモリ手段に格納することにより、サンプリングされたウインドウ関数処理データを圧縮するステップであって、格納したスペクトル・エレメントは機械の動作状態に相関している、ステップと
を含むことを特徴とする方法。
【請求項１１】  請求項１０記載の方法において、該方法はさらに、圧縮された機械データの組を検索し、該検索されたデータへのゼロ充填を行い、該ゼロ充填された検索されたデータに逆変換を適用し、該逆変換されたデータを逆ウインドウ関数で処理することにより、感知された機械データの組を再現するステップを含むことを特徴とする方法。
【請求項１２】  機械の動作状態に相関する計測データの圧縮方法であって、
機械の動作状態に相関する一連の組の機械データを感知するステップと、
一連の組の機械データをサンプリングするステップと、
サンプリングされた一連の組の機械データにウインドウ関数を適用するステップと、
ウインドウ関数で処理されたサンプリングされた一連の組の機械データを、第１の間隔のスペクトル・エレメントに変換するステップと、
第１の間隔のスペクトル・エレメントの各々の少なくとも一つの端部を切り取るステップと、
ウインドウ関数で処理されたサンプリングされた一組の機械データを、第２の間隔のスペクトル・エレメントに変換するステップであって、第２の間隔は第１の間隔と重複している、ステップと、
第２の間隔のスペクトル・エレメントの各々の少なくとも一つの端部を切り取るステップと、
切り取られた端部のない第１及び第２の間隔のスペクトル・エレメントを、ユーザが定義可能な保持基準と比較するステップと、
ユーザが定義可能な保持基準に合格したスペクトル・エレメントをメモリ手段に格納することにより、ウインドウ関数で処理されたサンプリングされた一組の機械データを圧縮するステップであって、格納したスペクトル・エレメントは機械の動作状態に相関している、ステップと
を含むことを特徴とする方法。